(57)【特許請求の範囲】
【請求項１】
（Ａ）下式の少なくとも１種のトリグリセリド油
【化１】
0004008758.tif 000011
（式中、Ｒ１、Ｒ２およびＲ３は炭素数約７〜約２３の脂肪族炭化水素基を表す。）
（Ｂ）少なくとも１種の食品品位のミネラルスピリット
からなる有機溶媒、および
（Ｃ）酸化防止剤
を含む潤滑剤組成物。
【請求項２】
（Ａ）下式の少なくとも１種のトリグリセリド油
【化２】
0004008758.tif 000012
（式中、Ｒ１、Ｒ２およびＲ３は炭素数約７〜約２３の脂肪族炭化水素基を表す。）
（Ｂ）少なくとも１種の食品品位のミネラルスピリット
からなる有機溶媒、（Ｃ）酸化防止剤、並びに
磨耗防止剤（Ｄ）、腐食防止剤（Ｅ）、および流動点降下剤（Ｆ）からなる群から選ばれる少なくとも１種の添加剤
を含む潤滑剤組成物。
【請求項３】
（Ａ）下式の少なくとも１種のトリグリセリド油
【化３】
0004008758.tif 000013
（式中、Ｒ１、Ｒ２およびＲ３は炭素数約７〜約２３の脂肪族炭化水素基を表す。）
（Ｂ）少なくとも１種の食品品位のミネラルスピリット
からなる有機溶媒、
（Ｃ）酸化防止剤、
（Ｄ）磨耗防止剤、
（Ｅ）腐食防止剤、
（Ｆ）流動点降下剤、並びに
（Ｇ）（１）食品品位の粘着付与剤、
（２）二硫化モリブデン、および
（３）上記１および２の組み合わせ
からなる群から選ばれる少なくとも１種の成分
を含む潤滑剤組成物。
【発明の詳細な説明】
【０００１】
【発明の属する技術分野】
本出願は米国特許仮出願第６０／３０５，４９８号（２００１年７月１３日）の優先権を主張した出願である。
本発明は潤滑剤を浸透させる技術に関し、特に生分解性浸透性潤滑剤の技術に関する。
【０００２】
【従来の技術】
密着する金属表面同士、例えばバネの各葉、蝶番、ボルト、自動車のドアロック、家屋のロック、南京錠、管取付け用具等の間に迅速に浸透して、錆びついたり、「凍結した」り、などの相互に結合した隣接する金属表面を緩める能力を持つ液体組成物に対する需要が存在する。通常の状態では、表面同士間の錆の層または膜はしっかり固着しており隣接する金属表面を緊密に結合しているので、レンチのような機械的な弛緩装置を使用しても、表面同士を緩めることが、不可能ではないにしても困難である。
【０００３】
多数の油組成物が市販されており、これらはそのような緩めるのが困難な表面同士を潤滑する目的で使用されている。かかる組成物は一般に浸透性潤滑剤として知られている。これらの潤滑剤は一般に高い浸透度を持つことを特徴としているが、これは、潤滑剤の表面張力と粘度が回転部材に通常使用されるものよりも若干低いことを意味する。
【０００４】
典型的には、浸透性潤滑剤は石油系油類を含む。石油系油類は満足に機能してきたが、いくつかの欠点を持つ。石油系油類は最低限の生分解性しかなく、従って、安全性と汚染について問題がある。さらに、石油系油類は再生できない。
【０００５】
これに対して、植物油は再生可能な資源から大量に入手可能であり、一般に容易に生分解可能であり、すなわち「環境に優しい」。その結果、そのような油類は浸透性潤滑剤をはじめとする広範囲の用途に使用する関心を惹く可能性がある。
【０００６】
植物油類を浸透性潤滑剤として使用することはまだ十分に研究されていない。多くの植物油類が特に流動点、酸化安定性および添加剤との相溶性に関する所望の特性範囲を持たない。しかしながら、植物油類は浸透性潤滑剤として使用するのに望ましい多くの性質を持つ。特に、植物油類は典型的には良好な潤滑性、良好な粘度および高い引火点を有する。加えて、植物油類は一般に非毒性であり、容易に生分解可能である。例えば、標準的試験条件（例えば、ＯＣＥＤ３０１Ｄ試験方法）下では、典型的な植物油は２８日間で８０％まで二酸化炭素と水に生分解する。これに対して、典型的な石油系潤滑流体油では２５％以下である。
【０００７】
【発明が解決しようとする課題】
本発明によれば、新規な改良された生分解性浸透性潤滑剤が提供される。
本発明の目的はこの分野における従来技術の問題点を克服ないし軽減する生分解性浸透性潤滑剤を提供することである。
本発明の別の目的は、浸透性作用に優れる一方、必要な潤滑特性を発揮して浸透性潤滑剤の持つすべての利点を達成する、生分解性浸透性潤滑剤を提供することである。
本発明のさらに別の目的は、優れた腐食防止性を特徴とする生分解性浸透性潤滑剤を提供することである。
本発明のさらに別の目的は、目の詰まった耐性領域内に浸透して潤滑し、腐食を防止する生分解性浸透性潤滑剤を提供することである。
本発明のさらに別の目的は、ケーブルや金網のコア内に深く浸透して保護し、軽圧縮空気作動工具潤滑剤および油浸部品用保存剤として優れる、生分解性浸透性潤滑剤を提供することである。
本発明のさらに別の目的は、上記用途において潤滑剤が水、土壌または環境に対して直接失なわれるので、石油系油類に対して特別の利点を有する生分解性浸透性潤滑剤を提供することである。
本発明の他の利点は当業者が以下の詳細な説明を読み理解する際に明らかになるであろう。
【０００８】
これらの目的を達成するために、本発明は、
（Ａ）下式の少なくとも１種のトリグリセリド油
【化４】
0004008758.tif 000002
（式中、Ｒ１、Ｒ２およびＲ３は炭素数約７〜約２３の脂肪族炭化水素基を表す。）
（Ｂ）少なくとも１種の食品品位のミネラルスピリット
からなる有機溶媒、および
（Ｃ）酸化防止剤
を含む生分解性浸透性潤滑剤組成物を提供する。
【０００９】
任意に、本発明の潤滑剤はさらに
（Ｄ）磨耗抑制剤、
（Ｅ）腐食防止剤、
（Ｆ）流動点降下剤、
（Ｇ）食品品位粘着付与剤、
（Ｈ）二硫化モリブデン
からなる群から選ばれる添加剤を含んでいてもよい。
【００１０】
（Ａ）トリグリセリド油本発明を実施する際に、基剤油は下式の合成トリグリセリドまたは天然油である。
【化５】
0004008758.tif 000003
（式中、Ｒ１、Ｒ２およびＲ３は炭素数約７〜約２３の脂肪族炭化水素基を表す。）本明細書において「炭化水素基」という用語は分子の残部に直接結合している炭素原子を有するラジカルを示す。脂肪族炭化水素基は下記の基を含む。
（１）脂肪族炭化水素基：ヘプチル、ノニル、ウンデシル、トリデシル、ヘプタデシルのようなアルキル基；ヘプテニル、ノネニル、ウンデセニル、トリデセニル、ヘプタデセニル、ヘンエイコセニルのような単一の二重結合を有するアルケニル基；８，１１−ヘプタデカジエニルおよび８，１１，１４−ヘプタデカトリエニルのような２個または３個二重結合を有するアルケニル基。これらの異性体はすべて含まれるが、直鎖基が好ましい。
（２）置換脂肪族基：非炭化水素置換基（本発明の文脈では基の炭化水素としての性質を顕著に変更しないもの）を含む基。当業者は好適な置換基を知悉しているであろう。例としてはヒドロキシ、カルボアルコキシ（特に低級カルボアルコキシ）およびアルコキシ（特に低級アルコキシ）があり、「低級」という用語は炭素数７以下の基を示す。
（３）ヘテロ基：圧倒的に本発明の文脈における脂肪族炭化水素の性質を有する一方、脂肪族炭素原子からなる鎖または環に存在する炭素以外の原子を含む。好適なヘテロ原子は当業者には明らかであるが、例えば、酸素、窒素およびイオウを含む。
【００１１】
【発明の実施の形態】
本発明において好適に使用できるトリグリセリド油類は植物油類および改質植物油類である。植物油トリグリセリド類は天然油類である。「天然」という用語は油類を得る種子がいかなる遺伝的変更をも受けていないことを意味する。さらに、「天然」という用語は得られた油類が水素化等の、ジ−またはトリ−不飽和性を変更する化学的処理をなんら受けていないことを意味する。本発明で有用な天然植物油類は大豆油、菜種油、ヒマワリ油、ヤシ油、レスクエレラ（ｌｅｓｑｕｅｒｅｌｌａ）油、カノラ（ｃａｎｏｌａ）油、落花生油、コーン油、綿実油、パーム油、紅花油、メドウフォーム（ｍｅａｄｏｗｆｏａｍ）油、およびヒマシ油の少なくとも１種を含む。
【００１２】
トリグリセリド類は改質植物油類であってもよい。トリグリセリド油類は化学的または遺伝的に改質される。天然トリグリセリドの水素化は化学的改質の主要な手段である。天然トリグリセリド油類種々の脂肪酸プロフィールを持つ。天然ヒマワリ油の脂肪酸プロフィールは下記の通りである。
パルミチン酸        ７０％
ステアリン酸          ４．５％
オレイン酸          １８．７％
リノール酸          ６７．５％
リノレン酸            ０．８％
他の酸類              １．５％
【００１３】
ヒマワリを水素化により化学的に改質することは、水素が存在する不飽和脂肪酸プロフィール、例えばオレイン酸、リノール酸およびリノレン酸と反応することができることを意味する。目的とするところはすべての不飽和を除去することではない。さらに、この目的はオレイン酸プロフィールがステアリン酸プロフィールに還元されるように水素化することでもない。水素化による化学的改質の目的はリノール酸プロフィールに関わり、その実質的な部分をオレイン酸プロフィールに還元または転換することである。天然のヒマワリ油のリノール酸プロフィールは６７．５％である。リノール酸が約２５％に減少するように水素化することが化学的改質の目標である。これは、オレイン酸プロフィールが１８．７％から約６１％（１８．７％の元々のオレイン酸プロフィール＋４２．５％のリノール酸から生成されたオレイン酸）に増加することを意味する。
【００１４】
水素化は触媒存在下の植物油と水素ガスの反応である。もっとも普通に使用される触媒はニッケル触媒である。この処理の結果、その油に水素が付加し、リノール酸プロフィールとリノレン酸プロフィールを減少させる。不飽和脂肪酸プロフィールのみが水素化反応に関与する。水素化の際に、二重結合の新しい位置への移動およびシス形から高融点のトランス形への捩れのような、他の反応も起きる。
【００１５】
表１は選ばれた天然植物油類のオレイン酸（１８：１）、リノール酸（１８：２）およびリノレン酸（１８：３）プロフィールを示す。水素化によりトリグリセリドのリノール酸プロフィールの実質的部分を化学的に改質してオレイン酸プロフィールを約６０％まで増加させることが可能である。
【表１】
（表１）
0004008758.tif 000004
【００１６】
遺伝的改質は種子貯蔵中に起きる。収穫された作物は抽出されるとオレイン酸プロフィールがずっと高く、リノール酸プロフィールがずっと低いトリグリセリド油を含有している。上記表１を参照すると、天然ヒマワリ油はオレイン酸プロフィールが１８．７％である。遺伝的に改質されたヒマワリ油はオレイン酸プロフィールが８１．３％、リノール酸プロフィールが９．％である。表１の種々の植物油類を遺伝的に改質して約９０％のオレイン酸プロフィールを得ることができる。化学的に改質された植物油類は化学的に改質されたコーン油、化学的に改質された綿実油、化学的に改質された落花生油、化学的に改質されたパーム油、化学的に改質されたヒマシ油、化学的に改質されたカノラ油、化学的に改質された菜種油、化学的に改質された紅花油、化学的に改質された大豆油、および化学的に改質されたヒマワリ油の少なくとも１種を含む。
【００１７】
好適な一実施態様においては、Ｒ１、Ｒ２およびＲ３の脂肪族炭化水素基はトリグリセリドが少なくとも６０％、好ましくは少なくとも７０％、最も好ましくは少なくとも８０％のモノ−不飽和性を有するような基である。本発明において有用なトリグリセリドの例としては、通常より高いオレイン酸含有量を持つように遺伝的に改質された植物油類である。通常のヒマワリ油はオレイン酸含有量が２５〜３０％である。ヒマワリの種子を遺伝的に改質することにより、オレイン酸含有量が約６０％〜約９０％であるヒマワリ油が得られる。すなわち、Ｒ１、Ｒ２およびＲ３基はヘプタデセニル基であり、１，２，３−プロパントリイル基ＣＨ２ＣＨＣＨ２へのＲ１ＣＯＯ−、Ｒ２ＣＯＯ−、およびＲ３ＣＯＯ−はオレイン酸分子の残基である。米国特許第４、６２７、１９２号および同第４、７４３、４０２号明細書記載の内容は高オレイン酸ヒマワリ油の調製を開示するものとして本明細書において参照のために引用される。
【００１８】
例えば、オレイン酸部分のみからなるトリグリセリドはオレイン酸含有量が１００％であり、従ってモノ−不飽和含有量は１００％である。酸部分がオレイン酸７０％、ステアリン酸１０％、パルミチン酸１３％およびリノール酸７％からなり、モノ−不飽和含有量は７０％である。好ましいトリグリセリド高オレイン酸、すなわち遺伝的に改質された植物油（少なくとも６０％）トリグリセリド油類である。本発明で使用される典型的な高オレイン酸植物油類は高オレイン酸紅花油、高オレイン酸カノラ油、高オレイン酸落花生油、高オレイン酸コーン油、高オレイン酸菜種油、高オレイン酸ヒマワリ油、高オレイン酸綿実油、高オレイン酸レスクエレラ油、高オレイン酸パーム油、高オレイン酸ヒマシ油、高オレイン酸メドウフォーム油、および高オレイン酸大豆油がある。カノラ油は菜種油の一変種であり、１％未満のエルカ酸を含有する。好ましい高オレイン酸植物油はヒマワリ（Ｈｅｌｉａｎｔｈｕｓ  ｓｐ．）から得られる高オレイン酸ヒマワリ油である。この製品は米国テネシー州コルドバ市、ＡＣ  Ｈｕｍｋｏ社からＴｒｉＳｕｎ（商標）高オレイン酸ヒマワリ油として入手できる。ＴｒｉＳｕｎ８０は酸部分がオレイン酸８０％からなる高オレイン酸トリグリセリドである。もう一つの好ましい高オレイン酸植物油はＢｒａｓｓｉｃａ  ｃａｍｐｅｓｔｒｉｓまたはＢｒａｓｓｉｃａ  ｎａｐｕｓから得られる高オレイン酸カノラ油であり、これも上記ＡＣ  Ｈｕｍｋｏ社からＲＳ高オレイン酸油として入手できる。ＲＳ８０油は酸部分がオレイン酸８０％であるカノラ油を示す。
【００１９】
さらに、注意すべきことに、遺伝的に改質された植物油はジ−およびトリ−不飽和酸を犠牲にして高オレイン酸含有量を有している。通常のヒマワリ油はオレイン酸部分が２０〜４０％であり、リノール酸部分が５０〜７０％である。これはモノ−およびジ−不飽和酸部分９０％となる（２０＋４０）または（４０＋５０）。植物油を遺伝的に改質するとジ−またはトリ−不飽和部分が低含有量の植物油となる。本発明のこれら遺伝的に改質された植物油類はオレイン酸部分：リノール酸部分比が約２〜約９０である。オレイン酸部分の含有量が６０％、リノール酸部分の含有量が３０％のトリグリセリドの比は２である。オレイン酸部分８０％およびリノール酸部分１０％からなるトリグリセリド油の比は８である。オレイン酸部分９０％およびリノール酸部分１％からなるトリグリセリド油の比は９０である。通常のヒマワリ油の比は０．５（オレイン酸部分３０％およびリノール酸部分６０％）である。
【００２０】
トリグリセリド油は潤滑剤の約２０〜約９０重量％であるのが好ましく、さらに好ましくは約４０〜約７０重量％であり、最も好ましくは約５０〜約６０重量％である。
【００２１】
（Ｂ）浸透性潤滑剤では、浸透機能と潤滑機能とのバランスが取れている必要がある。本発明では、トリグリセリド油が潤滑機能を提供し、一方有機溶媒が浸透機能を提供している。好ましくは、3種類の有機溶媒、すなわち乳酸エチル、大豆メチルエステル、および食品品位ミネラルスピリットを本発明で使用する。
【００２２】
乳酸エチルはトウモロコシ由来の飼料の発酵により製造される天然の乳酸（天然の有機酸）のエステルである。乳酸エチルは強い浸透性を有する。乳酸エチルは１００％生分解性でもあり、二酸化炭素と水に分解し、非毒性であり、再生可能である。
【００２３】
ミネラルスピリットも浸透性が強い。そのようなものとして、任意のミネラルスピリットを本発明に使用できる。しかしながら、ミネラルスピリットは食品品位のミネラルスピリット、例えば米国食品医薬品局（ＦＤＡ）および米国農務省（ＵＳＤＡ）により承認されたものであるのが好ましく、もっとも好ましくはＷｉｔｃｏ社により製造されているミネラルスピリットＰＤ２３である。その理由は米国カリフォルニア州航空資源課により揮発性有機化合物として分類されていないので、環境に優しい溶媒であると考えられるためである。
【００２４】
大豆メチルエステルは潤滑剤組成物に含めることができる。大豆メチルエステルは大豆油のエステル化により得られる溶媒である。大豆メチルエステルは揮発性と表面張力を低下させることにより潤滑剤の浸透機能を向上させ、それにより潤滑剤が隣接金属表面同士の間に浸透して錆びついた部品を自由に動けるようにすることができる。
大豆メチルエステルは大豆製品であるため、浸透性が強いことに加えて、多くの望ましい性質を有する。例えば、非毒性であり、１００％生分解性であり、再生可能である。
大豆メチルエステルは潤滑剤の約５重量%〜約５５重量%であるのが好ましく、さらに好ましくは約１０重量%〜約２０重量%である。
【００２５】
有機溶媒は潤滑剤の約１０重量%〜約６５重量%であるのが好ましく、さらに好ましくは約１５重量%〜約４０重量%、もっとも好ましくは約２０重量%〜約３０重量%である。
【００２６】
（Ｃ）潤滑剤の酸化安定性を向上させるために、潤滑剤組成物に酸化防止剤を添加してもよい。酸化防止剤は在庫があり広範囲の販売元および製造元からすぐ入手できる。本発明では任意の酸化防止剤を使用できるが、金属を含まない酸化防止剤が好ましい。その理由は、それらが潤滑剤の生分解性を高めるからである。好ましい酸化防止剤はフェニル−α−ナフチルアミン（ＰＡＮＡ）である。
酸化防止剤は典型的には潤滑剤組成物の約０．１重量%〜４重量%である。酸化防止剤としてＰＡＮＡを用いるときは、この酸化防止剤は潤滑剤の約０．１重量%〜約２重量%である。
【００２７】
（Ｄ）磨耗防止剤金属表面上の磨耗を防止するために、本発明は磨耗防止剤を使用する。磨耗防止剤は在庫があり広範囲の販売元および製造元からすぐ入手できる。本発明では任意の磨耗防止剤を使用できるが、金属を含まない磨耗防止剤が好ましく、燐およびイオウを含有する、金属を含まない磨耗防止剤がもっとも好ましい。本発明では、食品品位の磨耗防止剤を使用するのが好ましい。その理由は、それらがＦＤＡの規則に合致し、それにより潤滑剤がより環境に優しくなるからである。品位磨耗防止剤の一例は下式の燐アミン塩である。
【化６】
0004008758.tif 000005
（式中、Ｒ９およびＲ１０はそれぞれ独立に炭素数約２４以下の脂肪族基を表し、Ｒ２２およびＲ２３はそれぞれ独立に水素または脂肪族炭素数約１〜約１８の脂肪族基を表し、ｍとｎの合計は３であり、Ｘは酸素またはイオウである。）好適な実施態様では、Ｒ９は炭素数が約８〜約１８であり、Ｒ１０が
【化７】
0004008758.tif 000006
（式中、Ｒ１１は炭素数約６〜約１２の脂肪族基を表す。）であり、Ｒ２２およびＲ２３は水素であり、ｍは２、ｎは１、およびＸは酸素である。そのような燐アミン塩の一例はＣｉｂａ−Ｇｅｉｇｙ社から市販されているＩｒｇａｌｕｂｅ（登録商標）３４９である。
【００２８】
他の食品品位の磨耗防止剤は下式の燐化合物である。
【化８】
0004008758.tif 000007
（式中、Ｒ１９、Ｒ２０およびＲ２１はそれぞれ独立に水素、炭素数１〜約１２の脂肪族若しくはアルコキシ基、またはアリールもしくはアリールオキシ基（該アリール基はフェニルもしくはナフチルであり、該アリールオキシ基はフェノキシもしくはナフトキシである）を表し、Ｘは酸素またはイオウである。）
そのような燐化合物の一例はトリフェニルホスホチオネート（ＴＰＰＴ）であり、このものはＩｒｇａｌｕｂｅ（登録商標）ＴＰＰＴの商品名でＣｉｂａ−Ｇｅｉｇｙ社から市販されている。磨耗防止剤は典型的に潤滑剤組成物の約０．１重量%〜約４重量%である。
【００２９】
（Ｅ）腐食防止剤金属表面の腐食を防止するために、本発明は腐食防止剤を使用する。腐食防止剤は在庫があり広範囲の販売元および製造元からすぐ入手できる。本発明では任意の腐食防止剤を使用できるが、金属を含まない磨耗防止剤が好ましい。腐食防止剤は典型的には潤滑剤組成物の約０．０１重量%〜約４重量%である。腐食防止剤は腐食防止剤用添加剤と金属不活性剤とからなるのが好ましい。この添加剤と金属不活性剤は食品品位であり、ＦＤＡ規則に合致し、それにより環境により優しいものであるのが好ましい。添加剤の一例はサルコシンのＮ−アシル誘導体であり、下式で表される。
【化９】
0004008758.tif 000008
（式中、Ｒ８は炭素数１〜約２４の脂肪族基である。）
Ｒ８は炭素数６〜２４であるのが好ましく、もっとも好ましくは炭素数１２〜１８である。サルコシンのＮ−アシル誘導体からなる添加剤の一例はＮ−メチル−Ｎ−（１−オキソ−９−オクタデセニル）グリシンであり、Ｒ８がヘプタデセニル基の場合である。この誘導体は商品名Ｓａｒｋｏｓｙｌ（登録商標）でＣｉｂａ−Ｇｅｉｇｙ社から市販されている。
【００３０】
他の添加剤は下式のイミダゾリンである。
【化１０】
0004008758.tif 000009
（式中、Ｒ１７は炭素数１〜約２４の脂肪族基であり、Ｒ１８は炭素数１〜２４のアルキレン基である。）
Ｒ１７は炭素数１２〜１８のアルケニル基であるのが好ましい。Ｒ１８は炭素数が１〜４であり、もっとも好ましくはＲ１８はエチレン基である。そのようなイミダゾリンの一例は下式で表され、
【化１１】
0004008758.tif 000010
商品名ＡｍｉｎｅＯでＣｉｂａ−Ｇｅｉｇｙ社から市販されている。
【００３１】
典型的には、腐食防止剤用添加剤は潤滑剤組成物の約０．０１重量%〜４重量%である。この添加剤がサルコシンのＮ−アシル誘導体であるときは、潤滑剤組成物の約０．１重量%〜１重量%が好ましい。この添加剤がイミダゾリンであるときは、潤滑剤組成物の約０．０５重量%〜約２重量%が好ましい。潤滑剤は２種以上の腐食防止剤用添加剤を含んでいてもよい。例えば、潤滑剤はサルコシンのＮ−アシル誘導体とイミダゾリンの両方を含んでいてもよい。
【００３２】
金属不活性剤の一例はトリアゾールまたは置換トリアゾールである。例えばトリ−トリアゾール（ｔｏｌｙ−ｔｒｉａｚｏｌｅ）またはトル−トリアゾール（ｔｏｌｕ−ｔｒｉａｚｏｌｅ）を本発明で使用することができるが、好ましいトリアゾールは商品名Ｉｒｇａｍｅｔ３９でＣｉｂａ−Ｇｅｉｇｙ社から市販されているトル−トリアゾールである。これは食品品位のトリアゾールであり、従って環境に優しい。
典型的には、金属不活性剤は潤滑剤組成物の約０．０５重量%〜０．３重量%である。この金属不活性剤がＩｒｇａｍｅｔ３９であるときは、潤滑剤組成物の約０．０５重量%〜約０．２重量%が好ましい。
【００３３】
磨耗防止剤および腐食防止剤用添加剤は別々の剤として記載したが、これらは単一の添加剤として含まれていてもよい。例えば、磨耗防止剤と腐食防止剤を非食品品位の添加剤Ｌａｂｒｉｚｏｌ（登録商標）５１８６Ｂに含まれており、このものはＬｕｂｒｉｚｏｌ社から市販されている。Ｌａｂｒｉｚｏｌ（登録商標）５１８６Ｂは潤滑剤組成物の約０．５重量%〜約２重量%であるのが好ましく、もっとも好ましくは約１．２５重量%である。
【００３４】
（Ｆ）流動点降下
低温では植物油類、特にモノ−不飽和含有量が高い植物油類は自然に剛性が高くなる。これは温度を低下すると蜂蜜または糖蜜が剛性を増すのと類似している。低温で植物油の「注入性」または「流動性」を維持するには、流動点降下剤を添加することが必要となる。
流動点降下剤は在庫があり広範囲の販売元および製造元からすぐ入手できる。本発明では任意の流動点降下剤を使用できるが、流動点降下剤としてはアルキル化されたポリスチレンまたはポリアルキルメタクリレートが好ましい。
【００３５】
アルキル化されたポリスチレンを調製するには、２つの異なる反応経路を考えることができる。第１の経路は塩化アルキルまたはアルケンをスチレンと反応させてアルキル化スチレンを形成する反応を含む。第２の経路では、スチレンを重合してポリスチレンを形成するとともに、プロピレンもしくはブチレンまたはこれらの混合物を重合してポリアルキレンとして知られるポリプロピレン、ポリブチレンまたはポリプロピレンとポリブチレンの混合物を形成する。次いで、このポリスチレンをポリアルキレンでアルキル化してアルキル化されたポリスチレンを形成する。アルキル化されたポリスチレンの類の好ましい流動点降下剤としては、米国４６３２７インジアナ州ハモンド市シェッフィールド・アベニュー３０００、Ｆｅｒｏ Ｃｏｒｐｏｒａｔｉｏｎ−Ｐｅｔｒｏｌｅｕｍ Ａｄｄｉｔｉｖｅｓ社から入手できるＫｅｉｌ−Ｆｌｏ（商標）１５０がある。
【００３６】
本発明で使用するのに好適なポリアルキルメタクリレート類はＣ１−Ｃ３０メタクリレートの重合により調製される。これらのポリマーの調製にはさらにポリアルキルメタクリレートに改善された分散性のような追加の性質を付与する窒素含有官能基、ヒドロキシル基、および／またはアルコキシ基を有するアクリルモノマーを使用してもよい。ポリアルキルメタクリレートは数平均分子量が１０、０００〜２５０、０００であるのが好ましく、さらに好ましくは２０、０００〜２００、０００である。ポリアルキルメタクリレートはフリーラジカル重合またはアニオン重合のような従来の方法により調製することができる。ポリアルキルメタクリレートの類の好適な流動点降下剤としては米国０８０７５ニュージャージー州Ｄｅｌｒａｎ市、ＲｏｈＭａｘ社から市販されているＥＦ１７１（商品名）が挙げられる。流動点降下剤は典型的には潤滑剤組成物の約０．２重量%〜約４重量%である。
【００３７】
（Ｇ）食品品位の粘着付与剤
食品品位の粘着付与剤を添加すると生分解性浸透性潤滑剤の性能に粘着性が付与される。用途および環境条件によっては装置を腐食から保護する、粘着性も追加的に有する表面を持つフィルムが必要とされる。粘着付与剤も潤滑剤を運動部材の表面に潤滑性を保持し、耐磨耗性を改善する。この実施態様では、粘着付与剤は潤滑剤の１重量%〜２重量%であるが、約０．５重量%〜約５重量%であってもよい。本発明で使用できる食品品位粘着付与剤の一例は米国オハイオ州マケドニア市、Ｆｕｎｔｉｏｎａｌ  Ｆｏｏｄ  Ｉｎｃ．社から市販されているファンクショナルＶ−５８４脂肪油系潤滑剤用天然ゴム粘着付与剤／食品品位（Ｆｕｎｃｔｉｏｎａｌ  Ｖ−５８４  Ｎａｔｕｒａｌ  Ｒｕｂｂｅｒ  Ｔａｃｋｉｆｉｅｒ  ｆｏｒ  Ｆａｔｔｙ−Ｏｉｌ  Ｂａｓｅｄ  Ｌｕｂｒｉｃａｎｔｓ・Ｆｏｏｄ  Ｇｒａｄｅ）がある。
【００３８】
（Ｈ）二硫化モリブデン
二硫化モリブデンを含有する生分解性浸透性潤滑剤を目の詰まった耐性領域内に浸透し、潤滑し、腐食を防止するように処方する。この潤滑剤はケーブルや金網のコア内に深く浸透して保護する。二硫化モリブデンを添加すると、粘着付与剤を含有する生分解性浸透性潤滑剤よりも塵や汚れに対して抵抗性の格別の耐磨耗性／極限の圧力性能が付加される。本実施態様では、二硫化モリブデンは潤滑剤の１．０重量%であるが、約０．５重量%〜約５重量%であってもよい。
【００３９】
本発明の他の実施態様では、生分解性浸透性潤滑剤は粘着付与剤と二硫化モリブデンの両方を含有していてもよい。本実施態様は高速ローラーチェーン、ケーブルおよび運動部材のような用途に性能上の利点を有する。本実施態様の潤滑剤は塗装に迅速に浸透、付着して極端な高圧および高速度でも拭き取れない潤滑剤フィルム層を形成する。この潤滑剤は環境条件に曝される金属表面を錆びおよび腐食から保護する。
【００４０】
化学薬品は磨耗防止剤を除いてすべて食品品位のものを用いて浸透性潤滑剤の生分解性を向上させるのが好ましい。しかしながら、健全な判断の下に選択される任意の品位の化学薬品を本発明において使用してもよい。
【００４１】
【実施例】
生分解性浸透性潤滑剤を下記の成分を示された量で混合することにより調製した。
（表２）
成分                                            重量％
トリグリセリド油（ヒイラギ・カノラ              ５６．４
（ｈｏｌｌｙ  ｃａｎｏｌａ））
ＰＤ２３                                        ２５．０
Ｌｕｂｒｉｚｏｌ（登録商標）５１８６Ｂ            １．０
酸化防止剤（ＰＡＮＡ）                            ０．６
大豆メチルエステル                              １５．０
流動点降下剤（ポリアルキルメタクリレート）        ２．０
【００４２】
この潤滑剤についてねじクリープ試験を行った。腐食させた３／８〜２５インチのボルトを潤滑剤を約１／４インチ満たしたビーカーにそのヘッドを下にして置いた。潤滑剤は２時間で約２インチ垂直にネジ山を這い登り、格別の浸透性を有することを示した。
【００４３】
この潤滑剤は下記の物理的性質も有していることが分かった。
（表３）
比重＠６０°Ｆ          ＡＳＴＭ  Ｄ−２８７      ０．８８
粘度＠４０℃、ｃＳＴ    ＡＳＴＭ  Ｄ−４４５    １４．４
引火点、ｐＭＣＣ        ＡＳＴＭ  Ｄ−９３      ２９５°Ｆ（１４６℃）
流動点（回転）          ＡＳＴＭ  Ｄ５９８５    −３０℃
腐食防止
蒸留水                                        きれいに合格
剛性海水                                      きれいに合格
銅腐食ストリップ３時間  ＡＳＴＭ  Ｄ１３０      １Ａ
１００℃
４−ボール磨耗、        ＡＳＴＭ  Ｄ４１７２    ０．４０
１時間、１６７°Ｆ、
１２００ＲＰＭ、
４０ｋｇ
【００４４】
本発明はいくつかの実施態様を参照して説明したが、本明細書を読み、理解すれば種々の改変および変更を行うことは当業者には自明である。本発明は特許請求の範囲およびその均等の範囲に入る限りそのような改変および変更も含むものである。